(57)【要約】【課題】  低粘度から高粘度までの広い粘度域の流体を、槽内の全域に亘って速やかに、かつ均一に撹拌混合することができる撹拌装置を提供する。【解決手段】  撹拌軸３に固定された上部翼４（６、６’、６’’）と下部翼５とを備えた撹拌装置１において、上部翼４は、複数段に配置された上部撹拌翼６、６’、６’’で構成され、各上部撹拌翼６、６’、６’’は、平面視したときに、上部撹拌翼の翼両端部と撹拌軸中心点を結ぶ直線で囲まれた領域内であって回転方向前方側及び回転方向後方側に切り欠き部を有するようにされている。【選択図】  図１
2010162488.tif 000002
【特許請求の範囲】
【請求項１】
撹拌槽と、撹拌軸と、該撹拌軸に固定された上部翼と下部翼とを備えた撹拌装置において、
前記上部翼は、複数段に配置された上部撹拌翼で構成され、
前記各上部撹拌翼は、平面視したときに、上部撹拌翼の翼両端部と撹拌軸中心点を結ぶ直線で囲まれた領域内であって回転方向前方側及び回転方向後方側に切り欠き部を有し、かつ、回転方向に対して上向き角度で傾斜して設けられ、かつ、上段に位置する上部撹拌翼が下段に隣接する上部撹拌翼とオーバーラップ部分を有するように回転方向に対し先行して配置され、かつ、側面視したときに、上段に位置する上部撹拌翼の下端を含む水平断面が、その下段に隣接する上部撹拌翼の上端を含む水平断面よりも下側に位置するように配置され、
前記上部撹拌翼のうち最下段の上部撹拌翼は、前記下部翼と上下に隣接するように配置され、かつ、平面視したときに、最下段の上部撹拌翼の下方端部と前記撹拌軸中心点とを結ぶ平面図上の直線が、前記下部翼の翼径方向の中心線と所定の角度を持つように配置され、かつ、側面視したときに、最下段の上部撹拌翼の下方端部を含む水平断面が、前記下部翼の上方端部を含む水平断面よりも下側に位置するように配置され、
前記下部翼下方端部は、撹拌槽内底面に近接するように配置されていること
を特徴とする撹拌装置。
【請求項２】
前記下部翼が幅広後退パドル翼であり、
前記下部翼の翼径ｄｂが撹拌槽内径Ｄに対し、０．４Ｄ≦ｄｂ≦０．８Ｄであり、
前記最下段の上部撹拌翼の翼径ｄｈが撹拌槽内径Ｄに対し、０．３５Ｄ≦ｄｈ≦０．７５Ｄである請求項１に記載の撹拌装置。
【請求項３】
撹拌槽と、撹拌軸と、該撹拌軸に固定された上部翼と下部翼とを備えた撹拌装置で被撹拌物を撹拌する撹拌方法において、
前記上部翼は、複数段に配置された上部撹拌翼で構成し、
前記各上部撹拌翼は、平面視したときに、上部撹拌翼の翼両端部と撹拌軸中心点を結ぶ直線で囲まれた領域内であって回転方向前方側及び回転方向後方側に切り欠き部を有し、かつ、回転方向に対して上向き角度で傾斜して設け、かつ、上段に位置する上部撹拌翼が下段に隣接する上部撹拌翼とオーバーラップ部分を有するように回転方向に対し先行して配置し、かつ、側面視したときに、上段に位置する上部撹拌翼の下端を含む水平断面が、その下段に隣接する上部撹拌翼の上端を含む水平断面よりも下側に位置するように配置し、
前記上部撹拌翼のうち最下段の上部撹拌翼は、前記下部翼と上下に隣接するように配置し、かつ、平面視したときに、最下段の上部撹拌翼の下方端部と前記撹拌軸中心点とを結ぶ平面図上の直線が、前記下部翼の翼径方向の中心線と所定の角度を持つように配置し、かつ、側面視したときに、最下段の上部撹拌翼の下方端部を含む水平断面が、前記下部翼の上方端部を含む水平断面よりも下側に位置するように配置し、
前記下部翼下方端部は、撹拌槽内底面に近接するように配置して撹拌すること
を特徴とする撹拌方法。
【発明の詳細な説明】
【技術分野】
【０００１】
本発明は、混合、溶解、晶析、反応、蒸留、脱泡、脱溶剤、乳化、粒子化等を目的とした撹拌処理用の撹拌装置に関する。
【背景技術】
【０００２】
従来、撹拌装置の撹拌翼としては例えば、低〜中粘度の流体を処理する目的では、タービン翼やパドル翼、プロペラ翼等の小型翼を多段で使用する例が多く、中〜高粘度の流体を処理する目的では、アンカー翼や螺旋状リボン翼等が用いられることが多かった。しかし、小型翼では、撹拌槽内に流れの境界線と呼ばれるものが発生しやすく、槽内全域に亘る上下循環流ができにくいばかりか、高粘度の流体を処理する際に混合不良を発生させやすいことが知られていた。また、アンカー翼やリボン翼では逆に、低粘度の流体を処理する際に、共回りによる混合不良を発生させることが知られていた。したがって例えば、撹拌槽内で処理物の粘度が大きく変化するような化学反応を行う場合には、上記撹拌翼のいずれを用いても、反応過程において混合不良・反応不良を起こすリスクが発生していた。
【０００３】
これに対し、図１７から図１９に示すように、撹拌軸１３の回転方向に対して上向き角度に傾斜させて設けた上部翼１４と垂直方向に（軸方向に沿って）設けた下部翼１５とを備える撹拌装置１１が提供されている（特許文献１参照）。
【０００４】
この撹拌装置の上部翼は、四半楕円形状に形成された第１の上部撹拌翼１６と第２の上部撹拌翼１６’とを、平行かつ第１の上部撹拌翼１６下部と第２の上部撹拌翼１６’上部とが重なるように配置して半楕円形の傾斜段差翼１４を構成し、かかる半楕円形の傾斜段差翼（第１の上部撹拌翼１６及び第２の上部撹拌翼１６’）１４を撹拌軸１３の回転方向に対して上向きに傾斜させ、かつ両側から挟むように固定することで構成されている。
【０００５】
一方、下部翼１５は、外周端が槽壁近傍まで延設された平板状で、その先端部（外周端部）が撹拌軸１３の回転方向に対して後退側（撹拌軸の回転方向と反対側）に屈曲している。
【０００６】
このような構成の撹拌翼では、撹拌軸１３が回転することによって、該撹拌軸１３上に設けた傾斜段差翼１４も共に回転する。その際、傾斜段差翼１４の上部付近（液面付近）に位置する槽内上部の流体が傾斜段差翼１４に沿って下方（底方向）に移動させられることにより、槽内上部の液が槽内下部（下部翼１５側）へ移動され、移動された液が下部翼１５により槽の径方向に吐出され、槽壁に衝突することで上昇して槽内で上下循環流動を形成し、高粘度から低粘度までの広い粘度域の流体（液）において、上下方向での撹拌混合が行われる。
【０００７】
また、図２０から図２２に示すように、撹拌軸２３に配設される上部翼２４と該上部翼の下端近傍から槽底面近傍まで垂下し、かつ撹拌軸から径方向に延設される平板状の下部撹拌翼２５とを備える撹拌装置であって、前記上部翼２４は、複数の上部撹拌翼が前記撹拌軸２３の周方向に沿って所定間隔に、かつ前記撹拌軸の回転方向に対して所定の上向き角度で傾斜して設けられることで構成される一組の上部撹拌翼２６を複数段備え、前記各段の対応する上部撹拌翼２６は、上段の上部撹拌翼と下段の上部撹拌翼とが、軸長方向において、前記上段の上部撹拌翼の下辺側から前記下段の上部撹拌翼の下辺側が見えるように重なる位置にそれぞれ配設されると共に、最上段の上部撹拌翼の上辺から最下段の上部撹拌翼の下辺までの、撹拌軸を中心とする回転方向に対する角度が１８０°より小さくなるように配設されることを特徴とする撹拌装置２１が提供されている（特許文献２参照）。
【０００８】
このような構成の撹拌翼では、前記撹拌軸２３を回転させると、前記上部翼２４によって槽上部の液が前記下部翼２５側（槽下部）へ移動される。その際に必要な前記撹拌軸２３の回転角度は、１８０°より小さい角度で良いことになる。すなわち、小さい回転角で槽上部の流体（液）を下部（底部）にまで一気に到達させることができる。
【０００９】
【特許文献１】特開平０９−７５６９９号公報
【特許文献２】特開２００７−９０２６５公報
【発明の概要】
【発明が解決しようとする課題】
【００１０】
ところで、近年、化学工業製品に対する水性化や無溶剤化、低ＶＯＣ化などへの要求が高まっており、製造過程における中間体や製品の高粘度化が進んでいる。これに加え、高機能化や複合化への要求も高まってきていることから、高粘度流体への粉体、固形分の分散混合、粘度の大きく異なる流体同士の撹拌混合や、撹拌槽内での液面変動および、高液深撹拌に柔軟に対応できる撹拌装置が求められている。
【００１１】
しかし、前記傾斜段差翼１４を備えた従来の撹拌装置１１では、液体同士の均一混合には有効であったが、前記傾斜段差翼１４の翼面積が大きいため、粉体等を液中に分散混合させる際に、傾斜段差翼１４上面に粉体等が付着し、混合が進まなくなるといった問題を有していた。粉体以外にも、撹拌槽内から被撹拌物（製品・中間体）を抜き出す際に、翼への付着分が多くなり、歩留まりが低下する、洗浄性が悪いといった問題があった。また、翼面積が大きいことは、高粘度流体を撹拌する際の所要動力の増大を招き、撹拌動力（電動機）にかける初期投資や運転コストの増大につながっていた。上部翼が半楕円形状の傾斜段差翼１４であるため、撹拌槽の内部を上から覗き込んだとき、槽底面、特に底排弁付近の状態を確認することが困難であり、内容物の排出確認や、メンテナンス面にも問題があった。さらに、傾斜段差翼１４の第１の上部撹拌翼１６下部と第２の上部撹拌翼１６’上部との重なり部分において、発生する吐出流（撹拌軸から撹拌槽壁面方向に向かってほぼ水平方向に吐出する流れ）が強いため、撹拌槽全域に亘る上下方向の循環流が分断されることがあり、均一混合に至るまでの時間を長時間化させる、液面位置によっては混合効率が大幅に低下するといった問題も有していた。
【００１２】
また、最上段の上部撹拌翼の上辺から最下段の上部撹拌翼の下辺までの、撹拌軸を中心とする回転方向に対する角度が１８０°より小さくなるように配設されることを特徴とする従来の撹拌装置２１においても、従来の撹拌装置１１と同様に、上部翼の翼面積が大きいことに起因する粉体付着、所要動力の増大、メンテナンス性の悪化など、複数の問題を有していた。また、従来の撹拌装置２１では、図２２に示すように上部撹拌翼２６、２６’、２６’’が平面図上で密集した形に配置されているため、撹拌翼を回転させたときに上部翼付近にあった流体が、翼の動きと共に固体的な運動をしてしまう問題があった。特に、高粘度流体に低粘度流体を分散・混合させる場合などでその傾向は顕著であり、上記撹拌装置２１では、高機能製品や複合化製品の作り込みという要求に対し、十分に応えることができなかった。
【００１３】
そこで、本発明は、上記問題に鑑み、低粘度から高粘度までの広い粘度域の流体を、槽内の全域に亘って速やかに、かつ均一に撹拌混合することができ、さらに、粉体等の翼への付着による混合不良を低減させ、高粘度流体の撹拌時においても所要動力の増大を抑え、撹拌槽内での流体の粘度変化や液面位置の変動、異粘性流体の混合、高液深撹拌などに柔軟に対応できる撹拌装置及び撹拌方法を提供することを課題とする。
【課題を解決するための手段】
【００１４】
上記課題を解決すべく、本発明に係る撹拌装置は、撹拌槽と、撹拌軸と、該撹拌軸に固定された上部翼と下部翼とを備えた撹拌装置において、前記上部翼は、複数段に配置された上部撹拌翼で構成され、前記各上部撹拌翼は、平面視したときに、上部撹拌翼の翼両端部と撹拌軸中心点を結ぶ直線で囲まれた領域内であって回転方向前方側及び回転方向後方側に切り欠き部を有し、かつ、回転方向に対して上向き角度で傾斜して設けられ、かつ、上段に位置する上部撹拌翼が下段に隣接する上部撹拌翼とオーバーラップ部分を有するように回転方向に対し先行して配置され、かつ、側面視したときに、上段に位置する上部撹拌翼の下端を含む水平断面が、その下段に隣接する上部撹拌翼の上端を含む水平断面よりも下側に位置するように配置され、前記上部撹拌翼のうち最下段の上部撹拌翼は、前記下部翼と上下に隣接するように配置され、かつ、平面視したときに、最下段の上部撹拌翼の下方端部と前記撹拌軸中心点とを結ぶ平面図上の直線が、前記下部翼の翼径方向の中心線と所定の角度を持つように配置され、かつ、側面視したときに、最下段の上部撹拌翼下方端部を含む水平断面が、前記下部翼の上方端部を含む水平断面よりも下側に位置するように配置され、前記下部翼下方端部は、撹拌槽内底面に近接するように配置されている。
【発明の効果】
【００１５】
本発明に係る撹拌装置は、撹拌翼の回転により発生する渦流と、該渦流とは逆方向に回転する小渦流を複数発生させ、かつ、従来の撹拌装置には見られない形状の撹拌槽全域に亘る上下循環流を形成し、それらの相乗効果により、低粘度から高粘度までの幅広い粘度域の流体や、粘度の大きく異なる複数の流体を、速やかにかつ効率よく（低消費動力で）均一に混合することができ、加えて、粉体等の付着による混合不良のリスクを回避し、被撹拌物の翼への付着を低減させることにより歩留まりや洗浄性、メンテナンス性を改善させることができるようになる。
【図面の簡単な説明】
【００１６】
【図１】本実施形態に係る撹拌装置の正面図である。
【図２】同実施形態に係る撹拌装置の側面図である。
【図３】同実施形態に係る撹拌装置の平面図である。
【図４】同実施形態に係る上部撹拌翼の基本構造平面概念図である。
【図５】その他の実施形態に係る上部撹拌翼平面概念図である。
【図６】その他の実施形態に係る上部撹拌翼平面概念図である。
【図７】その他の実施形態に係る上部撹拌翼平面概念図である。
【図８】その他の実施形態に係る上部撹拌翼平面概念図である。
【図９】その他の実施形態に係る上部撹拌翼平面概念図である。
【図１０】その他の実施形態に係る上部撹拌翼平面概念図である。
【図１１】本実施形態に係る撹拌装置において、上下に隣接する上部撹拌翼間の位相差角度を説明するための平面概念図である。
【図１２】本実施形態に係る撹拌装置における上部撹拌翼の、撹拌軸の回転方向に対する上向き角度を説明するための上部撹拌翼の側面図である。
【図１３】本実施形態に係る撹拌装置における最下段の上部撹拌翼下端部と、下部翼上辺部との水平方向の間隔、位相差角度を説明するための平面図である。
【図１４】本実施形態に係る撹拌装置の、上部翼の作用により発生する小渦流を説明するための斜視概念図である。
【図１５】本実施形態に係る撹拌装置において、上部撹拌翼周辺の回り込み流れと、回り込み流れの速度差により発生する小渦流を説明するための平面概念図である。
【図１６】本実施形態に係る撹拌装置における、下部翼上辺部付近に大きな湾曲流れを持つ上下循環流を説明するための正面概念図である。
【図１７】従来の上部翼と下部翼とを備える撹拌装置の正面図である。
【図１８】従来の上部翼と下部翼とを備える撹拌装置の側面図である。
【図１９】従来の上部翼と下部翼とを備える撹拌装置の平面図である。
【図２０】従来の上部翼と下部翼とを備える撹拌装置の正面図である。
【図２１】従来の上部翼と下部翼とを備える撹拌装置の側面図である。
【図２２】従来の上部翼と下部翼とを備える撹拌装置の平面図である。
【発明を実施するための形態】
【００１７】
本発明に係る撹拌装置は、撹拌槽と、撹拌軸と、該撹拌軸に固定された上部翼と下部翼とを備えた撹拌装置において、前記上部翼は、複数段に配置された上部撹拌翼で構成され、前記各上部撹拌翼は、平面視したときに、上部撹拌翼の翼両端部と撹拌軸中心点を結ぶ直線で囲まれた領域内であって回転方向前方側及び回転方向後方側に切り欠き部を有し、かつ、回転方向に対して上向き角度で傾斜して設けられ、かつ、上段に位置する上部撹拌翼が下段に隣接する上部撹拌翼とオーバーラップ部分を有するように回転方向に対し先行して配置され、かつ、側面視したときに、上段に位置する上部撹拌翼の下端を含む水平断面が、その下段に隣接する上部撹拌翼の上端を含む水平断面よりも下側に位置するように配置され、前記上部撹拌翼のうち最下段の上部撹拌翼は、前記下部翼と上下に隣接するように配置され、かつ、平面視したときに、最下段の上部撹拌翼の下方端部と前記撹拌軸中心点とを結ぶ平面図上の直線が、前記下部翼の翼径方向の中心線と所定の角度を持つように配置され、かつ、側面視したときに、最下段の上部撹拌翼下方端部を含む水平断面が、前記下部翼の上方端部を含む水平断面よりも下側に位置するように配置され、前記下部翼下方端部は、撹拌槽内底面に近接するように配置された形状とする。
【００１８】
上記構成とすることで、前記撹拌軸を回転させると、前記上部撹拌翼に設けた切り欠き部により、撹拌翼の回転方向とは逆方向に回転する小さな渦流（下降流）が、翼の回転方向に対し上部撹拌翼の後方に形成され、この小渦流が、撹拌翼が回転することにより形成される撹拌軸を中心に持つ翼の回転と同方向の大きな渦流（下降流）に乗り、自転しながら公転するような流れを形成する。
【００１９】
前記小渦流は、前記上部撹拌翼を撹拌槽内の上下方向に複数段配置した場合には、その各段の撹拌翼においてそれぞれ発生することになる。
【００２０】
前記小渦流は前記大渦流と異なり鉛直方向を向いておらず、小渦流の先端（下端）は、翼の回転に対し若干の遅れを持つ、すなわち、翼の回転方向に対しやや後方に傾斜した形状となっている。このため、上部撹拌翼を撹拌槽内に多段配置する場合には、上下に隣接する上段の上部撹拌翼を、その下側に隣接する上部撹拌翼よりも、翼の回転方向に対し前方に、所定の位相差角を持たせて配置し、かつ、上段に位置する上部撹拌翼の下端を含む水平断面が、その下側に隣接する上部撹拌翼の上端を含む水平断面よりも下側に位置するように配置することで、前記小渦流が上下方向に連結する形となる。これにより、撹拌槽の上部液面付近から、前記下部翼近傍に至る強力な下降流が形成されることになる。
【００２１】
この下降流は、上部翼から下部翼に受け渡されることになるがその際、下部翼上辺部と最下段の上部撹拌翼下端部とが、水平方向に十分な間隔を有するように配置されているため、下部翼上端部と最下段上部撹拌翼の下端部とにより形成される空間部分で一旦水平方向に引き伸ばされ、その後、下部翼に巻き付くように槽底面近傍まで引き込まれ、混合が促進されるとともに吐出流へと変換される。
【００２２】
下部翼が発生させる吐出流は、槽壁面に衝突することで上昇流に変換され、その後は前記上部翼の発生する吐出流に分断されることなく、撹拌槽上部液面近傍まで到達すると、液面付近で撹拌軸に向かう流れに変換され、最上段に位置する前記上部撹拌翼の作用により下降流へと変換される。
【００２３】
このように、上部翼により、自転しながら公転する小渦流に起因する強力な下降流を形成し、これを最下段の上部撹拌翼下端部と下部翼上端部とでつくる空間部にて、局所的に水平方向に湾曲させ、かつ強力で連続した上下循環流と成さしめることで、従来技術にない効率の良い撹拌混合が可能となる。
【００２４】
また、前記上部撹拌翼は、の平面図上における撹拌軸中心点を原点ｇとし、翼の中心線（対称構造の翼であれば対称軸を、非対称なものは設計上中心線として定めた線）をｘ軸としたｘ−ｙ座標を仮定し、前記上部撹拌翼平面図上の外周部ｉを円弧（翼スパン円弧）と考え、翼外周ｉ上の上端部ｆ点および下端部ｆ'点と原点ｇとがなす角をθとした場合、３０°≦θ≦１５０°であることが好ましく、６０°≦θ≦１２０°であることがより好ましい。
【００２５】
上記構成とすることで、上部撹拌翼が作用する領域を、水平方向にも鉛直方向にも幅広く確保することができるようになり、強力な下降流を発生させられるようになる。
【００２６】
また、前記上部撹拌翼は、平面図上の翼外周ｉと角θとで規定される扇形の面積ｊに対する切り欠き部(または開口部)の総面積ｋの割合ｈが、０．０８≦ｈ≦０．５であることが好ましく、０．１≦ｈ≦０．３であることがより好ましい。
【００２７】
さらに、前記上部撹拌翼は、平面図のｘ−ｙ座標上で、切り欠き部上（下）端部ｂ（ｂ'）とｙ軸との平行距離ｓ（ｓ'）が、撹拌槽内径Ｄに対しｓ（ｓ'）≧０．１Ｄとなり、かつ、ｙ軸と平行な外周ｉとの接線と、切り欠き部上の上（下）端部ｂ（ｂ'）との距離ａ（ａ'）が、撹拌槽内径Ｄに対しａ（ａ'）≧０．０５Ｄであることが好ましい。
【００２８】
上記構成とすることで、前記撹拌軸の周辺に適度な空間が形成されるため、下降流の流路が翼自身に遮られる割合が少なくなり、上部翼の作用により発生した下降流が効率よく下部翼に向かい流動できるようになる。また、撹拌軸から離れた部位に上部翼の有効面を多く配置することで、強力な下降流（撹拌翼の回転方向と同方向の渦流）を発生させ、かつ、撹拌翼の回転方向とは逆方向に回転する小渦流（下降流）を発生させることができるようになる。撹拌軸の周辺に適度な空間を形成することで、前記上部翼が発生させる吐出流は相対的に弱くなり、上下循環流を分断するような流れを発生しなくなる。さらに、上部翼自身の面積が小さくなることから、粉体等を液中に混合する際に、翼上面に粉体等が付着し混合が進まなくなるといったリスクを低減できるようになる。また、翼への被撹拌物の付着が少なくなることから歩留まりや洗浄性が改善され、かつ、槽上部から槽底部の様子を確認しやすくなり、メンテナンス性が向上する、撹拌所要動力を低く抑えられるなどの効果が得られることになる。
【００２９】
また、前記上部翼は、互いに上下に隣接する上部撹拌翼のうち、下段に位置する上部撹拌翼平面図上のｘ軸と、上段に隣接する上部撹拌翼平面図上のｘ軸との位相差角ψが、下段上部撹拌翼ｘ軸から隣接する上段上部撹拌翼ｘ軸に対し、撹拌軸の回転方向に１０°≦ψ≦５０°であることが好ましく、１５°≦ψ≦４５°であることがより好ましい。
【００３０】
上記構成とすることで、上部撹拌翼の作用による発生する撹拌翼の回転方向とは逆方向に回転する前記小渦流（下降流）を、上部撹拌翼を上下多段配置した際に、最上段の上部撹拌翼から最下段の上部撹拌翼まで連続化させられるようになる。
【００３１】
また、前記上部撹拌翼の撹拌軸回転方向に対する所定の上向き角度ξは、３０°≦ξ≦６０°（より好ましくは３５．５６°≦ξ≦５４．４４°）であることが好ましい。
【００３２】
上記構成とすることで、上部撹拌翼の作用により効率よく前記小渦流（下降流）を発生させられるようになる。
【００３３】
また、前記上部翼は、互いに上下に隣接する上部撹拌翼間において、上段に位置する上部撹拌翼下端ｆ'を含む水平断面Ｐｈｂが、下段に隣接する上部撹拌翼の上端ｆを含む水平断面Ｐｈｔよりも下側に位置し、このＰｈｂ−Ｐｈｔ面間距離Ｏｈｈが、撹拌槽内径に対し、０．００５Ｄ≦Ｏｈｈ≦０．３Ｄであることが好ましく、０．０１Ｄ≦Ｏｈｈ≦０．１５Ｄであることがより好ましい。
【００３４】
上記構成とすることで、上段に位置する上部撹拌翼の作用範囲が、その下段に隣接する上部撹拌翼の作用範囲にオーバーラップすることになるため、上段の上部撹拌翼により発生した下降流が途切れることなく、隣接する下段の上部撹拌翼に受け渡されるようになる。これにより、最上段の上部撹拌翼の上端付近（液面付近）から、最下段の上部撹拌翼の下端付近まで、連続した強力な下降流を形成できることになる。
【００３５】
また、前記上部翼の中で最下段に位置する上部撹拌翼下端ｆ'を含む水平断面Ｐｈｂは、最下段の上部撹拌翼の下側に隣接する前記下部翼の上端を含む水平断面Ｐｂｔよりも下側に位置し、このＰｈｂ−Ｐｂｔ面間距離Ｏｈｂは、撹拌槽内径Ｄに対し、０．００５Ｄ≦Ｏｈｂ≦０．３Ｄであることが好ましく、０．０１Ｄ≦Ｏｈｂ≦０．１５Ｄであることがより好ましい。
【００３６】
さらに、前記下部翼は、平面図上に、前記撹拌軸の中心点を原点に持ち、撹拌軸から撹拌槽内壁面方向に延びる下部翼の中心線をｘ軸としたｘ−ｙ座標を置き、該ｘ−ｙ座標上に、前記下部翼と上下に隣接する前記最下段の上部撹拌翼を配置した際、撹拌軸中心点から、該最下段上部撹拌翼の切り欠き下端部ｂ'に向けて引いた直線ｑとｘ軸とのなす角δが、ｘ軸からｙ軸に向かい翼の回転とは反対方向に６０°≦δ≦１１０°の範囲であることが好ましく、７０°≦δ≦１００°の範囲になるように配置することがより好ましい。
【００３７】
上記構成とすることで、上部翼により形成された下降流は、最下段の上部撹拌翼から下部翼に受け渡されることになるが、最下段の上部撹拌翼下端部が、下部翼上端部との間に空間を形成することになるため、下降流が下部翼に直接受け渡されるのではなく、上記空間部で一旦水平方向に引き伸ばされるような作用を受け、その後、下部翼に巻き付くような形で受け渡しが行われることになる。これにより、従来の撹拌装置１１や２１とは異なる形状の、撹拌槽全域に亘る上下循環流が形成され、幅広い粘度領域に亘る高効率撹拌および、異粘性流体に対し効率の良い撹拌混合を行うことができるようになる。
【００３８】
また、前記下部翼は、幅広後退パドル翼であり、下部翼の翼径（翼スパン）ｄｂが撹拌槽内径Ｄに対し、０．４Ｄ≦ｄｂ≦０．８Ｄであることが好ましく、前記上部翼の翼径（翼スパン）ｄｈは、撹拌槽内径Ｄに対し、０．３５Ｄ≦ｄｈ≦０．７５Ｄであることが好ましく、０．４Ｄ≦ｄｈ≦０．７Ｄであることがより好ましい。
【００３９】
上記構成とすることで、下部翼、上部翼共に、撹拌槽内で流体に作用する領域を十分確保できるようになり、下部翼であれば槽壁に衝突し上昇流へと変換される強力な吐出流を、上部翼であれば槽上部液面付近から下部翼上端部付近に向かう強力な下降流を形成できるようになる。さらに、上記構成とすることで、撹拌槽壁面から翼外周部までの間に適度な空間を設けることができるため、下部翼により形成された上昇流の流路が十分に確保され、かつ、上部翼により発生する吐出流が下部翼により発生した上昇流を分断するリスクを低減できるようになる。
【００４０】
以下、本発明について、図を参照しながら更に詳細に説明する。図１から図３に示したように、撹拌装置１は、円筒形撹拌槽２の中心部に、撹拌軸３が回転可能に支持されている。撹拌軸３は、下端が槽底付近まで垂下されている。また、上端は、槽頂上部駆動装置（図示せず）にカップリング（図示せず）を介して接続されている。該撹拌軸３には、上部翼４と下部翼５が設けられている。
【００４１】
上部翼４は、一対の上部撹拌翼６，６が、撹拌軸３の中心線に沿って、一定間隔で複数段設けられることで構成されている。本実施形態においては、上段、中段、下段の三段に構成されている。上部翼４は本実施形態のように三段に限定されることなく、一段であっても二段であっても、また三段以上であっても良い。
【００４２】
上部撹拌翼６は、平板状の撹拌翼で、略Ｔ字形状に形成されている。図４に示したように、平面図における上部撹拌翼６の外周辺ｉは、撹拌軸中心点ｇを中心に持つ円弧となるように形成されている。この上部撹拌翼６，６は、撹拌軸３を両側から挟むように、かつ、撹拌軸３の回転方向（矢印α）に対して所定の上向き角度で傾斜させ、撹拌軸３に固定されている。図では撹拌軸３に、ボスを介する形で撹拌翼が取り付けられているが、ボスを介さず直接、撹拌翼を撹拌軸に設置しても良い。
【００４３】
本実施形態における上部撹拌翼６は平面図上で略Ｔ字形状をしているが、これに限定される必要はなく、図５から図１０に示したように、外周辺ｉの上端ｆ、下端ｆ’と撹拌軸中心点ｇとの間に形成される扇形に対し、撹拌軸３に近い部分に、所定の割合の切り欠き部または開口部を持たせたような形状であればよい。
【００４４】
中段の上部撹拌翼６’は、上下に隣接する上段の上部撹拌翼６よりも、回転方向に対して後退側（矢印αの反対方向）に設けられている。また、下段の上部撹拌翼６’’も同様に、上下に隣接する中段の上部撹拌翼６’よりも、回転方向に対して後退側に設けられている。中段上部撹拌翼６’，６’、下段上部撹拌翼６’’，６’’も、上段上部撹拌翼６，６と同様に、撹拌軸３を両側から挟むように、かつ、撹拌軸３の回転方向に対して所定の上向き角度で傾斜させ、撹拌軸３に固定されている。
【００４５】
図１から図３に示した本実施形態における上部撹拌翼６，６’，６’’の、平面図上の撹拌軸中心点から外周辺ｉまでの距離は、下段よりも中段、中段よりも上段の方が小さくなっているが、これに限定される必要はなく、例えば全て同じ大きさであっても良い。
【００４６】
また、本実施形態における上部撹拌翼６，６’，６’’はそれぞれ相似形となっているが、これに限定される必要はなく、形状が異なっていても良い。さらに、平面図上で対称軸を持つ構造でなくても良い。
【００４７】
本実施形態において、上段の上部撹拌翼６と中段の上部撹拌翼６’、中段の上部撹拌翼６’と下段の上部撹拌翼６’’とが、撹拌軸の回転方向に対してなす平面図上の取り付け角度ψ（図１１参照）は、対応する各段においてそれぞれ同じになっており、また、撹拌軸３の回転方向に対してなす上向き角度ξ（図１２参照）も、上、中、下段においてそれぞれ同じになっているが、これに限定される必要はなく、それぞれが異なる角度であっても良い。
【００４８】
下部撹拌翼５，５は、撹拌軸３に沿って設けられた平板状の撹拌翼で、その下辺部は、撹拌槽底面に沿うような形状で、槽底面に近接するように配置されており、また槽壁側は、撹拌軸３の回転方向に対して後退側に屈曲している。
【００４９】
下部撹拌翼５は、上下に隣接する下段上部撹拌翼６’’の切り欠き下端部ｂ’に対し、撹拌軸３の回転方向に先行するように配置されている。
【００５０】
図１に示すように、各段の上部撹拌翼同士および、下段の上部撹拌翼下端部と下部翼上端部とは、上下方向にオーバーラップを有するように配置されているが、それぞれのオーバーラップ量は同一である必要はなく、それぞれが異なる値であっても良い。一方で、図２に示すように、上下に隣接する翼同士が接触しないように設置する必要がある。特に、下段の上部撹拌翼６’’下端部（切り欠き下端部）ｂ’と下段撹拌翼上辺部とは、図２に示すように十分な間隔を有するように設置されている。
【００５１】
本実施形態に係る撹拌装置は、以上の構成からなり、次に、本実施形態に係る撹拌装置の撹拌特性について、図１４から図１６に基づき説明する。
【００５２】
撹拌軸３を矢印α方向（図では上から見て時計回り）に回転させると、上部翼４および下部翼５も同方向に回転する。このとき、上段の上部撹拌翼６，６は、撹拌槽上部液面付近の流体を、槽底方向に引き込むような流れを発生させる。上段の上部撹拌翼６は、流体を下方に押し下げる方向に撹拌軸３に対し傾斜しているため、上述のように撹拌槽内で下降流を発生させるが、上段の上部撹拌翼６自身は撹拌軸３を回転軸にもつ回転体であるため、遠心力が作用し、同時に撹拌軸３から槽壁に向かうほぼ水平方向の吐出流も発生させている。
【００５３】
前記上段の上部撹拌翼６は、アルファベットのＴ字を９０°回転させた形をしているため、撹拌軸３に対し傾斜角ξだけねじれた位置に縦長の板状翼が設置された状態になっている。仮に、傾斜角ξが０°であれば、上記縦長翼部分は撹拌軸３に平行な位置関係となる。上記縦長翼部分は、その外周辺が、平面図上で円弧になるように設計されているため、回転軸３との接続部分から上に行くほど、また、下に行くほど細くなっている。このため、上記上部撹拌翼６が発生させる吐出流の強さは均一ではなく、回転軸３との接続部分から上下方向に離れるほど弱くなっている。
【００５４】
このような吐出流強度の分布は、中段の上部撹拌翼６’や下段の上部撹拌翼６’’においても同様の傾向となっている。
【００５５】
ところで、先に述べたように、上段の上部撹拌翼６と中段の上部撹拌翼６’、中段の上部撹拌翼６’と下段の上部撹拌翼６’’とは、図１に示すように上下方向に重なり部を持っている。この上下の重なり部は、図２に示すように翼同士が接触するものではないが、上段上部撹拌翼６下端部の吐出流の弱い部分を中段上部撹拌翼６’の上端部が、同じく弱い吐出流で補うような形になっている。中段上部撹拌翼６’下端部と下段上部撹拌翼６’’上端部においても同様の関係になっている。また一方で、本実施形態における上部翼の翼径は、６＜６’＜６’’となっており、それぞれが発生する吐出流の強さもこの関係が成り立っている。これにより、上部翼４が発生させる吐出流は適度な分布を持ちつつも、撹拌槽の上方ほど弱くなるような配置になっている。
【００５６】
また、上段の上部撹拌翼６が回転する際には、撹拌軸３の回転方向、すなわち、翼の進行方向に対し前面に正圧が、背面に負圧が発生しており、この正圧部から負圧部に向かう回り込み流れも発生している。
【００５７】
上段の上部撹拌翼６の縦長翼部分に着目すると、翼外周辺部および撹拌軸側の縦辺部において水平方向の上記回り込み流れが発生しており、上記翼外周辺部と縦辺部の線速度の差（翼外周辺部のほうが回転中心から離れている分、線速度は大きくなる）から、縦長翼部の回転方向に対する背面には、撹拌軸の回転方向とは逆方向（本実施形態の場合には反時計回り）に回転する小渦流Ａが発生することになる。
【００５８】
上記現象を詳細に説明すると、図１５に示すように、上部撹拌翼外周辺部に発生する回り込み流れＥは、撹拌軸側の縦辺部にて発生する回り込み流れＦよりも強い流れとなり、上部撹拌翼の回転方向後方にてＥとＦが合流しようとする際、その速度差から渦流が発生することになるのである。
【００５９】
本実施形態では、縦長翼部の撹拌軸側の縦辺部が、撹拌軸３から適度な距離を保ち、かつ、上下方向に十分な長さを有しているため、撹拌軸側の縦辺部に生じる回り込み流れの作用により、発生した小渦流Ａは、撹拌槽壁面方向に移動し消失してしまうことなく、上段の上部撹拌翼６の回転に追随して自転しながら、撹拌軸３を中心とした公転軌道上を回転し続けることになる。
【００６０】
撹拌軸３が小渦流Ａの公転軸となるため、公転軸は鉛直方向を向いているが、自転軸は、公転軸に対し傾きを有することになる。自転軸の公転軸に対する傾きは、撹拌槽の上下方向に対して一定ではなく、上部翼が発生させる吐出流と下降流および回り込み流れの強度バランスにより適度な分布を持っていると言える。とはいえ基本的には自転軸は、撹拌軸３の回転方向に対して自転軸下側が後退したねじれの位置にあると言える。
【００６１】
一方、中段の上部撹拌翼６’および下段の上部撹拌翼６’’の回転に伴っても同様に、上記の作用機構に基づく小渦流Ｂ、Ｃが、回転方向に対する翼の背面にそれぞれ発生している。
【００６２】
本実施形態における小渦流Ａ，Ｂ，Ｃの配列は、上部撹拌翼６，６’，６’’の配列とほぼ同等である。すなわち、下に位置する小渦流ほど、撹拌軸３の回転方向から後退した位置にあることになる。また、小渦流の自転軸は先に述べたとおり、その下側が、撹拌軸３の回転方向に対し後退した方向を向いている。つまり、小渦流Ａの下端部は小渦流Ｂの上部に、小渦流Ｂの下端部は小渦流Ｃの上部に向かっており、その結果、小渦流に起因する下降流がＡからＣまで連続化することになる。
【００６３】
本実施形態では、上部撹拌翼６，６’，６’’は、それぞれ２葉の撹拌翼が、撹拌軸３を両側から挟み込むような形に設置されているため、上記小渦流に起因し発生する上段の上部撹拌翼６から下段の上部撹拌翼６’’に至る連続化した下降流は２組発生することになる。また、該撹拌槽内では、上部翼４の回転に伴い、上段の上部撹拌翼６から下段の上部撹拌翼６’’に至る、撹拌軸３を中心軸とする下降流（回転方向と同方向の渦流）も発生している。すなわち本実施形態では、上記３組の下降流が撹拌槽内に形成されることになり、これにより従来の撹拌装置１１や２１にはない強力な下降流が得られることになる。
【００６４】
また、回転方向と自転軸の異なる複数の下降流が形成されることから、単一の下降流では成し得ない混合性能が得られることになる。すなわち、流体が、撹拌槽上部液面付近から下部翼近傍まで移動する際にも水平方向の混合作用が働き、流体が撹拌翼の動きに追随して動く、いわゆる共回りによる混合不良の発生リスクを格段に小さくすることができるのである。
【００６５】
なお、図１７から図１９に示す従来の撹拌装置１１および、図２０から図２２に示す従来の撹拌装置２１においても、対応する上段の上部撹拌翼の最上端部においては、本実施例の小渦流Ａに近い形の小渦流が発生することもある。
【００６６】
しかしながら、従来の撹拌装置１１においては、上段の上部撹拌翼の撹拌軸とねじれの位置関係にある撹拌軸側の縦辺部が、撹拌軸の近傍に配置されているため、該縦辺部における回り込み流れの作用が非常に弱く、上段上部撹拌翼の最上端部において小渦流が発生したとしても、その小渦流は撹拌槽壁面方向に吐出されるような軌道をとることになる。したがって、小渦流に起因する撹拌槽の上方から下方に亘る連続した下降流が形成されることはない。
【００６７】
一方、図２０から図２２に示す従来の撹拌装置２１には、撹拌軸とねじれの位置関係にある縦辺部は存在しない。本実施例における上部撹拌翼の、撹拌軸とねじれの位置関係にある縦辺部に相当する部分を扇形の上辺および下辺と考えると、この部分においても回り込み流れは発生しており、上部撹拌翼外周辺において発生する回り込み流れとの速度差により発生する小渦流は、従来の撹拌装置２１においては、対応する上部撹拌翼の上端部および下端部においてのみ発生する可能性があると言える。
【００６８】
しかしながら、仮に上部撹拌翼上端部において回り込み流れに起因する小渦流が発生したとしても、扇形上辺により発生する回り込み流れは、上端部から下方に向かい小さくなっていくため、また、上辺部で生じた回り込み流れと外周辺部で生じた回り込み流れとの水平方向間隔が、上端部から下方に向かって開いていくことになるため、該上端部において発生した小渦流を下方に向かい維持することができないことになる。したがって、従来の撹拌装置２１においても、小渦流に起因する撹拌槽の上方から下方に亘る連続した下降流が形成されることはない。
【００６９】
さて、図１４から図１６に戻り、本実施形態に関する撹拌特性の説明を続けることにする。
【００７０】
上部翼４の作用により発生した複数の下降流は、本実施例では、下部撹拌翼５の上端部付近にて、その軌道が大きく湾曲することになる。これは、下段の上部撹拌翼６’’の下端部が、下部撹拌翼上辺部から、水平方向に十分な間隔を有していることに起因する挙動である。
【００７１】
図１７から図２２に示す従来の撹拌装置１１や２１のように、最下段の上部撹拌翼の下端部が、下部撹拌翼の上辺部近傍にある場合、上部翼により形成される下降流（撹拌軸の回転方向と同方向の渦流）が、下部翼へスムーズに受け渡されるため、きれいな上下循環流が形成されることになる。しかしながら、上下循環流がきれいに整いすぎているため、水平方向の物質移動がなされにくくなり、かえって混合効率を低下させることになっている。
【００７２】
これに対し本実施形態では、下段の上部撹拌翼６’’下端部が、下部撹拌翼の上辺部からは水平方向に離れた位置にあるため、一見すると、下降流の下部翼への受け渡しがスムーズに行われにくい状態にあるといえる。とはいえ、これはあくまで撹拌軸３の回転と同方向の渦流に起因する下降流との関係における考察である。
【００７３】
本実施形態においては、前記のように、上部翼４の作用により、２種類の下降流が計３組発生しているため、この限りではない。特に本実施形態においては、撹拌軸とは逆回転の小渦流に起因する下降流が混合効率の向上に大きく寄与しているため、下降流の下部撹拌翼への受け渡しは、これら複数の下降流のバランスをとる必要がある。
【００７４】
本実施形態において下段の上部撹拌翼６’’下端部を、下部撹拌翼５の上辺部から水平方向に離れた位置に配置しているのはこのためであり、結果、小渦流に起因する下降流は、下部翼上部近傍にて一旦大きく水平方向に湾曲する軌道Ｈをとった後、下部撹拌翼５の回転方向に対する背面に形成される負圧部に受け渡されることになる。したがって、本実施例では、下部翼上辺部にて大きく水平方向に湾曲した特殊な形状の上下循環流Ｇ−Ｈ−Ｊ−Ｋ−Ｌが形成されることになる。
【００７５】
この水平湾曲部Ｈを持つ上下循環流は、従来の撹拌装置１１および２１に見られるような、略楕円軌道Ｍ、Ｎを持つきれいな上下循環流ではないが、上下方向の循環流に水平方向の混合作用が適度に組み合わされたものとなっているため、略楕円軌道の上下循環流と比べ、極めて高い混合特性を有するものとなるのである。
【００７６】
また、本実施形態において下部撹拌翼５，５が発生させる撹拌槽底部における吐出流Ｊは、撹拌槽の壁面に衝突すると向きを変え、撹拌槽壁面近傍を流路とする上昇流Ｋになる。
【００７７】
本実施形態において発生する下部撹拌翼上辺部における下降流の湾曲Ｈは、上記吐出流Ｊに起因する上昇流を阻害、分断することはない。また、上部翼４の各段の上部撹拌翼は、吐出流が強くなりすぎないように、翼面積を小さく抑えた構造になっている。このため、上記槽壁付近の上昇流Ｋは、上部撹拌翼の吐出流に分断されることなく撹拌槽上部液面付近まで到達することができる。
【００７８】
該上昇流は液面付近で、撹拌軸３に向かう流れＬとなり、上段の上部撹拌翼６の作用により、再び下降流Ｇへと向きを変える。
【００７９】
このようにして、本実施形態においては、撹拌槽上部液面付近から上部翼４の近傍を流路に持つ下降流Ｇ、下段の上部撹拌翼６’’下端と下部撹拌翼５の上辺部との空間部において形成される湾曲流れＨを経て下部撹拌翼５に受け渡され、下部撹拌翼５の吐出流Ｊとなり、槽壁面に衝突して上昇流Ｊへと変化し、槽壁面近傍を流路に持つ上昇流Ｋとして撹拌槽上部液面付近に至り、液面付近で撹拌軸３方向への流れＬへと変化することで、撹拌槽全域に亘る上下の循環流を形成することになる。これにより、撹拌槽の全域において、非常に良好な撹拌特性を得ることができるようになる。
【００８０】
以上により、本実施形態に係る撹拌装置においては、撹拌翼の回転により発生する渦流と、該渦流とは逆方向に回転する小渦流を複数発生させ、かつ、下部翼上辺部付近に大きな湾曲部を持つ撹拌槽全域に亘る上下循環流を形成し、それらの相乗効果により、低粘度から高粘度までの幅広い粘度域の流体や、粘度の大きく異なる複数の流体を、速やかにかつ効率よく（低消費動力で）均一に混合することができるようになる。
【実施例】
【００８１】
（実施例１）
＜水あめ水溶液を用いたヨウ素還元法による消色実験＞
ヨウ素で着色した５Ｐａ・ｓの水あめ水溶液を、同じく水あめを用いて同粘度に調製したチオ硫酸ナトリウム溶液により脱色する実験において、完全にヨウ素の色が消失するまでの時間（完全混合時間）を測定した。内径φ１３０ｍｍのフラスコに２Ｌの上記着色水あめ水溶液を仕込み、図１から図３に示した本実施形態に係る撹拌装置を設置し、撹拌動力が１．５ｋＷ／ｍ３ になるように回転数を調整した。この際、回転数は１５０ｒｐｍであった。撹拌中の水あめ水溶液中に、着色に使用したヨウ素の１．１当量に相当する上記チオ硫酸ナトリウム水あめ溶液を投入し、ヨウ素の色が完全に消失するまでの時間を測定した。このとき、完全混合時間は、４．５分であった。
【００８２】
（比較例１）
図１７から図１９に示した従来技術の撹拌装置１１を用い、実施例１と同じ条件下で、水あめ水溶液を用いた消色実験を実施した。撹拌動力が１．５ｋＷ／ｍ３ となるように回転数を１４０ｒｐｍにして実験を行った結果、完全混合時間は２２分であった。
【００８３】
（実施例２）
＜高粘度樹脂の溶剤希釈実験（異粘性流体の液液混合実験）＞
実施例１にて使用した装置を用い、２５℃における粘度が１１０Ｐａ・ｓの高粘度樹脂を、同じく２５℃における粘度が０．８ｍＰａ・ｓの溶剤で希釈する異粘性流体の混合実験を実施した。樹脂：溶剤の割合を８３：１７とし、前記φ１３０ｍｍのフラスコを使用し、総液量が２Ｌとなるようにした。溶剤希釈前の初期の撹拌動力が３ｋＷ／ｍ３ となるように回転数を調整し、ここに所定量の溶剤を投入後、この溶剤と樹脂が完全に混合するまでの時間を測定した。撹拌回転数は４８ｒｐｍであり、樹脂と溶剤とが完全混合に至るまで一定の回転数とした。混合状態の判定は、溶液の液面に形成されるボルテックスの形状を観察することで行った。すなわち、混合が進んでおらず液面付近に溶剤が残っていれば、液面はほぼ水平になっており、逆に完全混合に達した後には、撹拌軸付近の液面が大きく窪む状態になるため、液面形状の観察により混合状態の判定ができた。なお、上記割合にて樹脂と溶剤とを完全混合した後の溶液粘度は３０Ｐａ・ｓであった。液面から溶剤がなくなり、十分にボルテックスが形成され、完全混合に達したと判断されるのに要した時間は、図１から図３に示した本実施形態に係る撹拌装置では３７０秒であった。また、完全混合到達後の撹拌動力は、０．７５ｋＷ／ｍ３ であった。
【００８４】
（比較例２）
図１７から図１９に示した従来技術の撹拌装置１１を用い、実施例２と同じ条件下で高粘度樹脂の溶剤希釈実験を行った。初期撹拌動力が３ｋＷ／ｍ３ となるように、回転数は４６ｒｐｍとした。実験の結果、従来の撹拌装置１１では完全混合までに１０７０秒を要した。また、完全混合後の撹拌動力は０．９６ｋＷ／ｍ３ であった。
【産業上の利用可能性】
【００８５】
本実施形態に係る撹拌装置を用いることで、様々な工業製品の撹拌槽内での作り込みが可能となる。例えば、低粘度から高粘度までの様々な流動特性を持つ樹脂製品やその水分散体製品、顔料やインキ、医薬品や化粧品、食品など、撹拌槽内で流動させることができる工業製品であれば、いずれの製品においても高効率な撹拌混合が可能となり、生産効率の向上や、品質の安定化、高付加価値化などを可能とすることができる。特に、中粘度から高粘度で、従来技術では混合不良を生じやすかった工業製品に対しては、極めて高い撹拌特性を発揮し、一方で撹拌動力を低く抑えられることによる駆動装置(モーター)に係るイニシャルおよびランニングコストを低減させることが可能となる。さらに、翼面積を比較的小さく抑えたことから、洗浄性、メンテナンス性が従来技術に比べ大幅に改善され、製品歩留まりの向上や装置洗浄等に係るロスコストの削減を図ることが可能となる。
【符号の説明】
【００８６】
１  撹拌装置
２  撹拌槽
３  撹拌軸
４  上部翼
５  下部翼
６  上段上部撹拌翼
６’  中段上部撹拌翼
６’’  下段上部撹拌翼
α  撹拌軸の回転方向
δ  平面図上の下部翼中心線と直線ｑとの撹拌軸の回転とは逆方向になす角
θ  上部撹拌翼平面概念図上にて、翼外周部上端、下端と撹拌軸中心点とのなす角
ξ  上部撹拌翼の撹拌軸の回転方向に対する上向き傾斜角
ψ  上下に隣接する上部撹拌翼中心線同士の位相差角
ａ  上部撹拌翼縦板部の幅
ｂ、ｂ’  上部撹拌翼の切り欠き部上、下端部
ｄ  翼径（翼スパン）
ｄｈ  上部翼の翼径
ｄｂ  下部翼の翼径
ｆ、ｆ’  平面図上の上部撹拌翼外周部上、下端
ｇ  撹拌軸中心点
ｈ  平面概念図上における切り欠き部割合（ｈ＝ｋ÷ｊ）
ｊ  平面概念図上に仮想される扇形部の面積（ｊ＝π×ｒ×ｒ×θ÷３６０°）
ｋ  平面概念図上の切り欠き部総面積（ｋ＝ｋ１＋ｋ２＋…）
ｑ  平面図において最下段の上部撹拌翼の下端部に向けて撹拌軸中心点から引いた直線
ｒ  上部撹拌翼における翼スパン半径（ｒ＝０．５ｄｈ）
Ａ  上段の上部撹拌翼後方に形成される小渦流
Ｂ  中段の上部撹拌翼後方に形成される小渦流
Ｃ  下段の上部撹拌翼後方に形成される小渦流
Ｄ  撹拌槽内径
Ｅ  上部撹拌翼外周部の作用により発生する回り込み流れ
Ｆ  上部撹拌翼の撹拌軸側の縦辺部の作用により発生する回り込み流れ
Ｇ  上部翼により形成される小渦流の連結に起因する下降流
Ｈ  湾曲流れ
Ｊ  下部翼の吐出流と、これが槽底面および壁面に衝突し形成される上昇流
Ｋ  槽壁付近の上昇流
Ｌ  液面付近の槽壁から撹拌軸方向に向かう流れ
Ｍ、Ｎ  略楕円形状の上下循環流
【図１】
2010162488.tif 000003
【図２】
2010162488.tif 000004
【図３】
2010162488.tif 000005
【図４】
2010162488.tif 000006
【図５】
2010162488.tif 000007
【図６】
2010162488.tif 000008
【図７】
2010162488.tif 000009
【図８】
2010162488.tif 000010
【図９】
2010162488.tif 000011
【図１０】
2010162488.tif 000012
【図１１】
2010162488.tif 000013
【図１２】
2010162488.tif 000014
【図１３】
2010162488.tif 000015
【図１４】
2010162488.tif 000016
【図１５】
2010162488.tif 000017
【図１６】
2010162488.tif 000018
【図１７】
2010162488.tif 000019
【図１８】
2010162488.tif 000020
【図１９】
2010162488.tif 000021
【図２０】
2010162488.tif 000022
【図２１】
2010162488.tif 000023
【図２２】
2010162488.tif 000024